(57)【要約】      （修正有）【課題】ソファ形態とベッド形態に形態を変換することができ、しかも、夫々の形態に適した長さ（形状）に形成し得る組立式ソファを提供する。【解決手段】ソファ台座部１と背凭れ部２とクッション部材とから成り、ソファ台座部１は、背凭れ部２を上方に突出状態に取り付ける背凭れ取付部４と、背凭れ部２をソファ台座部１の側方に突出状態に取り付ける背凭れ側方取付部とが設けられており、背凭れ取付部４に背凭れ部２を取り付けると共に、ソファ台座部１上にクッション部材を敷設し、且つ背凭れ部２にクッション部材を配設することでソファ形態となり、背凭れ部２を背凭れ側方取付部に設けてベッド基台を形成し、このベッド基台上にクッション部材を敷設することでベッド形態となるように構成される。【選択図】図８
2017104286.tif 000002
【特許請求の範囲】
【請求項１】
ソファ台座部と、このソファ台座部に着脱自在に設ける背凭れ部と、複数のクッション部材とから成る組立式ソファであって、前記ソファ台座部には、前記背凭れ部を上方に突出状態に取り付ける背凭れ取付部と、前記背凭れ部を前記ソファ台座部の左右方向となる側方に突出状態に取り付ける背凭れ側方取付部とが設けられており、前記背凭れ取付部に前記背凭れ部を取り付けて該背凭れ部を前記ソファ台座部に上方に突出状態に設けると共に、前記ソファ台座部上に前記クッション部材を着脱自在に敷設し、且つ前記背凭れ部に前記クッション部材を着脱自在に配設することでソファ形態となり、前記背凭れ取付部に取り付けた前記背凭れ部を前記背凭れ側方取付部に付け替えて該背凭れ部を前記ソファ台座部の側方に突出状態に設けて、前記ソファ台座部の左右方向の長さをこの背凭れ部で延長してベッド基台を形成し、このベッド基台上に前記クッション部材を敷設することで、前記ソファ形態からベッド形態に形態を変換できるように構成されていることを特徴とする組立式ソファ。
【請求項２】
前記クッション部材は、平面視長方形に形成されたものであり、前記ソファ台座部は、前後方向の寸法となる奥行寸法が前記クッション部材の長辺の寸法と略同寸法に設定されたものであり、前記ソファ台座部の手前側に複数の前記クッション部材を短辺同士が突き合わさる横向きで連設状態に敷設すると共に、このソファ台座部上の前記クッション部材が敷設されないクッション部材非敷設部に設けられた前記背凭れ取付部に前記背凭れ部を上方に突出状態に取り付け、この背凭れ部に前記クッション部材を配設することで前記ソファ形態となり、前記背凭れ取付部に取り付けた前記背凭れ部を前記背凭れ側方取付部に取り付けて前記ベッド基台を形成し、このベッド基台上に複数の前記クッション部材を長辺同士が突き合わさる縦向きで連設状態に敷設して前記クッション部材非敷設部を該クッション部材で覆うことで、前記ソファ形態から前記ベッド形態に形態を変換できるように構成されていることを特徴とする請求項１記載の組立式ソファ。
【請求項３】
前記ベッド基台上に敷設される前記クッション部材は、前記ソファ形態時に前記ソファ台座部上に敷設された前記クッション部材と前記背凭れ部に配設された前記クッション部材とであることを特徴とする請求項１，２のいずれか１項に記載の組立式ソファ。
【請求項４】
前記クッション部材は、長辺と短辺との寸法比が３：２に設定された平面視長方形に形成されたものであり、前記ソファ台座部は、長辺と短辺との寸法比が２：１に設定された平面視長方形に形成されると共に、前記短辺の寸法が前記クッション部材の長辺の寸法と同じ寸法に設定されたものであることを特徴とする請求項２，３のいずれか１項に記載の組立式ソファ。
【請求項５】
前記ベッド基台部は、前記ソファ台座部の左右両側端部に夫々設けられた前記背凭れ側方取付部に、夫々前記背凭れ部を取り付けて形成されたものであることを特徴とする請求項１〜４のいずれか１項に記載の組立式ソファ。
【請求項６】
前記背凭れ部は、短辺の寸法が前記クッション部材の短辺の寸法の１／２に設定された平面視長方形に形成された板状若しくはシート状の背凭れ面部を有するものであり、この背凭れ部を前記ソファ台座部の左右両側端部に設けた夫々の前記背凭れ側方取付部に取り付けることで、前記背凭れ面部が前記ソファ台座部の左右側方に夫々突出状態に設けられて、前記ソファ台座部の左右方向長さが前記クッション部材の短辺分延長されて前記ベッド基台を形成するように構成されていることを特徴とする請求項５記載の組立式ソファ。
【発明の詳細な説明】
【技術分野】
【０００１】
本発明は、ベッドに形態を変換し得る組立式ソファに関するものである。
【背景技術】
【０００２】
従来、ソファとベッドとに形態を変換できるソファベッドは、様々な形態のものが提案されているが、多くのソファベッドは、ソファの背凭れを傾倒自在に構成し、ベッドにする際は、この背凭れを傾倒させてソファの座部とこの傾倒させた背凭れとで幅広なベッド面を形成することで、ソファ形態からベッド形態に形態を変換する構成としている。
【発明の概要】
【発明が解決しようとする課題】
【０００３】
しかしながら、上述した従来のソファベッドの構造では、ソファの幅（左右方向の長さ）がベッドの長さと同じ寸法に設定されているため、ソファとしては長さ（幅）が長くなってしまい、その分、設置場所をとってしまう。更に、背凭れを傾倒させる機構（例えばリクライニング機構等）が必要となるため、構造が複雑になり、使用者が組み立てる組立式ソファには適さない構造である。
【０００４】
本発明は、このような現状に鑑み、簡易な構成で容易に組み立てや形態変換が可能であり、しかも、ソファ形態では、座部の左右の幅（長さ）も奥行もベッド形態に比べて短く（狭く）、ソファとして丁度良い大きさ（形状）とすることができ、ベッド形態に形態を変換した際は、長さ方向、幅方向共にソファ形態よりも寸法が広がり十分な大きさのベッド面を有するベッド形態に形態を変換することができる従来にない画期的な組立式ソファを提供することを目的とする。
【課題を解決するための手段】
【０００５】
添付図面を参照して本発明の要旨を説明する。
【０００６】
ソファ台座部１と、このソファ台座部１に着脱自在に設ける背凭れ部２と、複数のクッション部材３とから成る組立式ソファであって、前記ソファ台座部１には、前記背凭れ部２を上方に突出状態に取り付ける背凭れ取付部４と、前記背凭れ部２を前記ソファ台座部１の左右方向となる側方に突出状態に取り付ける背凭れ側方取付部５とが設けられており、前記背凭れ取付部４に前記背凭れ部２を取り付けて該背凭れ部２を前記ソファ台座部１に上方に突出状態に設けると共に、前記ソファ台座部１上に前記クッション部材３を着脱自在に敷設し、且つ前記背凭れ部２に前記クッション部材３を着脱自在に配設することでソファ形態となり、前記背凭れ取付部４に取り付けた前記背凭れ部２を前記背凭れ側方取付部５に付け替えて該背凭れ部２を前記ソファ台座部１の側方に突出状態に設けて、前記ソファ台座部１の左右方向の長さをこの背凭れ部２で延長してベッド基台６を形成し、このベッド基台６上に前記クッション部材３を敷設することで、前記ソファ形態からベッド形態に形態を変換できるように構成されていることを特徴とする組立式ソファに係るものである。
【０００７】
また、前記クッション部材３は、平面視長方形に形成されたものであり、前記ソファ台座部１は、前後方向の寸法となる奥行寸法が前記クッション部材３の長辺の寸法と略同寸法に設定されたものであり、前記ソファ台座部１の手前側に複数の前記クッション部材３を短辺同士が突き合わさる横向きで連設状態に敷設すると共に、このソファ台座部１上の前記クッション部材３が敷設されないクッション部材非敷設部７に設けられた前記背凭れ取付部４に前記背凭れ部２を上方に突出状態に取り付け、この背凭れ部２に前記クッション部材３を配設することで前記ソファ形態となり、前記背凭れ取付部４に取り付けた前記背凭れ部２を前記背凭れ側方取付部５に取り付けて前記ベッド基台６を形成し、このベッド基台６上に複数の前記クッション部材３を長辺同士が突き合わさる縦向きで連設状態に敷設して前記クッション部材非敷設部７を該クッション部材３で覆うことで、前記ソファ形態から前記ベッド形態に形態を変換できるように構成されていることを特徴とする請求項１記載の組立式ソファに係るものである。
【０００８】
また、前記ベッド基台６上に敷設される前記クッション部材３は、前記ソファ形態時に前記ソファ台座部１上に敷設された前記クッション部材３と前記背凭れ部２に配設された前記クッション部材３とであることを特徴とする請求項１，２のいずれか１項に記載の組立式ソファに係るものである。
【０００９】
また、前記クッション部材３は、長辺と短辺との寸法比が３：２に設定された平面視長方形に形成されたものであり、前記ソファ台座部１は、長辺と短辺との寸法比が２：１に設定された平面視長方形に形成されると共に、前記短辺の寸法が前記クッション部材３の長辺の寸法と同じ寸法に設定されたものであることを特徴とする請求項２，３のいずれか１項に記載の組立式ソファに係るものである。
【００１０】
また、前記ベッド基台部６は、前記ソファ台座部１の左右両側端部に夫々設けられた前記背凭れ側方取付部５に、夫々前記背凭れ部２を取り付けて形成されたものであることを特徴とする請求項１〜４のいずれか１項に記載の組立式ソファに係るものである。
【００１１】
また、前記背凭れ部２は、短辺の寸法が前記クッション部材３の短辺の寸法の１／２に設定された平面視長方形に形成された板状若しくはシート状の背凭れ面部８を有するものであり、この背凭れ部２を前記ソファ台座部１の左右両側端部に設けた夫々の前記背凭れ側方取付部５に取り付けることで、前記背凭れ面部８が前記ソファ台座部１の左右側方に夫々突出状態に設けられて、前記ソファ台座部１の左右方向長さが前記クッション部材３の短辺分延長されて前記ベッド基台６を形成するように構成されていることを特徴とする請求項５記載の組立式ソファに係るものである。
【発明の効果】
【００１２】
本発明は上述のように構成したから、簡易な構成で容易に組み立てや形態変換が可能であると共に、ソファ形態では、座部の左右の幅（長さ）も奥行もベッド形態に比べて短く（狭く）、ソファとして丁度良い大きさ（形状）とすることができ、ベッド形態に形態を変換した際は、長さ方向、幅方向共にソファ形態よりも寸法が広がり十分な大きさのベッド面を有するベッド形態に形態を変換することができる従来にない画期的な組立式ソファとなる。
【図面の簡単な説明】
【００１３】
【図１】本実施例の構成各部を示す斜視図である。
【図２】本実施例の基台部を示す斜視図である。
【図３】本実施例の基台部の脚部収納状態を示す底面図である。
【図４】本実施例の背凭れ部の幅寸法の調整状態を示す説明図である。
【図５】本実施例のクッション部材を示す平面図（ａ）および底面図（ｂ）である。
【図６】本実施例の基台部の組み立て状態を示す説明斜視図である。
【図７】本実施例のソファ台座部を示す分解斜視図である。
【図８】本実施例のソファ基台を示す分解斜視図である。
【図９】本実施例のソファ基台を示す斜視図である。
【図１０】本実施例をソファ形態に形成した状態を示す説明斜視図である。
【図１１】本実施例をソファ形態に形成した状態を示す説明平面図である。
【図１２】本実施例において背凭れ部を第一背凭れ取付部に取り付けてソファ基台を形成した状態を示す説明側面図である。
【図１３】本実施例において背凭れ部を第二背凭れ取付部に取り付けてソファ基台を形成した状態を示す説明側面図である。
【図１４】本実施例をソファ形態からベッド形態へ形態を変換する状態を示す説明図（ａ）および本実施例のベッド基台を示す斜視図（ｂ）である。
【図１５】本実施例をベッド形態に形成した状態を示す説明斜視図である。
【図１６】本実施例をベッド形態に形成した状態を示す説明平面図である。
【図１７】本実施例の背上げ姿勢状態のベッド基台を示す斜視図である。
【図１８】本実施例を背上げ姿勢状態のベッド形態に形成した状態を示す説明斜視図である。
【図１９】本実施例を背上げ姿勢状態のベッド形態に形成した状態を示す説明平面図である。
【図２０】本実施例をテーブルセット形態とした際の分解斜視図である。
【図２１】本実施例の椅子基台を示す斜視図である。
【図２２】本実施例をテーブルセット形態に形成した状態を示す説明斜視図である。
【図２３】本実施例をテーブルセット形態に形成した状態を示す説明平面図である。
【図２４】本実施例の椅子基台を示す説明側面図である。
【図２５】本実施例の構成各部の収納形態を示す図である。
【発明を実施するための形態】
【００１４】
好適と考える本発明の実施形態を、図面に基づいて本発明の作用を示して簡単に説明する。
【００１５】
ソファ台座部１の背凭れ取付部４に背凭れ部２を取り付けると、背凭れ部２がソファ台座部１上に上方に突出状態に設けられてソファ基台９が形成される。
【００１６】
このソファ基台９の座部となるソファ台座部１上にクッション部材３を敷設すると共に、背凭れ部２にもクッション部材３を配設（例えば立て掛け状態に配設）することで座面や背凭れ面にクッションが効いた二人掛け用または三人掛け用のソファ形態になる。
【００１７】
また、このソファ形態において、ソファ台座部１の背凭れ取付部４に取り付けた背凭れ部２を背凭れ側方取付部５に付け替えると、背凭れ部２がソファ台座部１の左右方向となる側方の端部に側方（外方）に突出状態に設けられ、このソファ台座部１の左右方向の長さがこの背凭れ部２によって延長されて、ベッド基台６が形成される。
【００１８】
このソファ台座部１と背凭れ部２とで形成されるベッド基台６上にクッション部材３を敷設することでベッド形態になる。
【００１９】
このように、本発明は、ソファ形態では必要としベッド形態では不要とする背凭れ部２を、ベッド形態時にソファ台座部１の長さを延長する台座延長部材として使用することで、ソファ形態に適した長さ（幅）のソファ台座部１を容易にベッド形態に適した長さにすることができる。
【００２０】
これにより、従来技術に用いられるような、例えばリクライニング機構等の複雑な背凭れ部の可倒機構を設けることなく、極めて簡易な構成で、即ち、単に背凭れ部２の付け替え操作だけで容易にソファ形態からベッド形態に形態を変換することができる従来にない画期的な組立式ソファとなる。
【実施例】
【００２１】
本発明の具体的な実施例について図面に基づいて説明する。
【００２２】
本実施例は、ソファ台座部１と、このソファ台座部１に着脱自在に設ける背凭れ部２と、複数のクッション部材３とから成る組立式ソファであって、前記ソファ台座部１には、前記背凭れ部２を上方に突出状態に取り付ける背凭れ取付部４と、前記背凭れ部２を前記ソファ台座部１の左右方向となる側方に突出状態に取り付ける背凭れ側方取付部５とが設けられており、前記背凭れ取付部４に前記背凭れ部２を取り付けて該背凭れ部２を前記ソファ台座部１に上方に突出状態に設けると共に、前記ソファ台座部１上に前記クッション部材３を着脱自在に敷設し、且つ前記背凭れ部２に前記クッション部材３を着脱自在に配設することでソファ形態となり、前記背凭れ取付部４に取り付けた前記背凭れ部２を前記背凭れ側方取付部５に付け替えて該背凭れ部２を前記ソファ台座部１の側方に突出状態に設けて、前記ソファ台座部１の左右方向の長さをこの背凭れ部２で延長してベッド基台６を形成し、このベッド基台６上に前記クッション部材３を敷設することで、前記ソファ形態からベッド形態に形態を変換できるように構成されたものであり、具体的には、本実施例は、一体のソファ台座部１と、二体の背凭れ部２と、四枚のクッション部材３とで構成されたものである。
【００２３】
また、本実施例では、更に、テーブルと椅子とから成るテーブルセット形態にも形態を変換できるように構成されている。即ち、本実施例は、ソファ形態、ベッド形態、およびテーブルセット形態の三形態に形態を変換することができるように構成されている。
【００２４】
また更に、本実施例は、簡易な構成で容易に組立・分解（形態変換）することができ、更に、コンパクトな収納形態で簡易に持ち運び移動できる構成であり、室内は勿論のこと、ベランダや庭などの屋外、或いはキャンプ場などの野外に持ち運んで使用することができるように構成されている。
【００２５】
以下、本実施例に係る構成各部について詳細に説明する。
【００２６】
ソファ台座部１は、背凭れ部２を上方に突出状態に取り付ける背凭れ取付部４と、背凭れ部２をソファ台座部１の左右方向となる側方に突出状態に取り付ける背凭れ側方取付部５とを設けた構成として、背凭れ取付部４に背凭れ部２を取り付けて該背凭れ部２をソファ台座部１に上方に突出状態に設けることでソファ基台９となり、また、背凭れ取付部４に取り付けた背凭れ部２を背凭れ側方取付部５に付け替えて背凭れ部２をソファ台座部１の側方に突出状態に設けることでベッド基台６となる構成としている。
【００２７】
また、本実施例のソファ台座部１は、三体の基台部10で構成されており、具体的には、基台部10を平面視長方形に形成し、この平面視長方形の基台部10を長辺同士が突き合わさる向き（縦向き）にして分離自在に並設状態に連設して成る構成としている。
【００２８】
より具体的には、本実施例の基台部10は、平板状に形成した合成樹脂製の台板部11と、この台板部11を支持する金属製の脚部12とから成る構成としている。
【００２９】
本実施例の基台部10を構成する台板部11は、長辺と短辺との寸法比を３：２に設定した平面視長方形に形成した構成とし、具体的には、長辺の寸法を７５ｃｍ、短辺の寸法を５０ｃｍに設定した構成としている。
【００３０】
また、この台板部11は、背凭れ部２を上方に突出状態に取付けるための背凭れ取付部４と、背凭れ部２を側方に突出状態に取り付けるための背凭れ側方取付部５とを設けた構成とし、具体的には、背凭れ取付部４は、後述する背凭れ部２を構成する棒状の背凭れ支柱部13を上方に突出状態に差し込み係合し得る縦孔状に形成した構成とし、より具体的には、本実施例の背凭れ取付部４は、背凭れ部２（背凭れ支柱部13）がソファ台座部１に対してやや後傾状態で上方に突出状態となるよう、この縦孔を傾斜状に形成した構成としている。
【００３１】
また更に、本実施例ではこの背凭れ取付部４を、背凭れ部２（背凭れ支柱部13）の後傾角度が浅い状態（急傾斜状態）で突設し得る第一背凭れ取付部４Ａと、この第一背凭れ取付部４Ａに取り付けた状態よりも後傾状態が深い状態（緩傾斜状態）で突設し得る第二背凭れ取付部４Ｂとから成る構成とし、具体的には、本実施例では、第一背凭れ取付部４Ａの傾斜状態を背凭れ部２の後傾角度が１０５°となるように設定し、第二背凭れ取付部４Ｂの傾斜状態を背凭れ部２の後傾角度が１１５°となるように設定した構成として、使用者の好みに合わせて背凭れ部２の傾斜状態を緩急二段階に設定できる構成としている。尚、この後傾角度の設定値に関しては、上記に限らず適宜設計変更可能なものとする。
【００３２】
また、本実施例の第一背凭れ取付部４Ａは、台板部11の一側短辺からこの台板部11の長辺寸法の約１／３内側に入った位置に所定間隔をおいて二つ設けた構成とし、また、第二背凭れ取付部４Ｂは、台板部11の長辺方向中央部を挟んで第一背凭れ取付部４Ａと対称位置となる位置、即ち、台板部11の他側短辺からこの台板部11の長辺寸法の約１／３の内側に入った位置に第一背凭れ取付部４Ａと同様、所定間隔をおいて二つ設けた構成としている。
【００３３】
即ち、本実施例は、ソファ形態においては、ソファ台座部１の上面全体を座部とせず、背凭れ部２を端部から長辺方向に長辺寸法の１／３内側に位置する箇所に設けて、この背凭れ部２よりも手前側の基台部10の２／３のスペースを座部とし、背凭れ部２よりも奥側の１／３のスペースはクッション部材３を敷設しないクッション部材非敷設部７として、座部の奥行を基台部10（ソファ台座部１）の奥行よりも浅くすることで、座部が深くなり過ぎて座りにくくなることを防ぎ、ソファとしての座部が浅過ぎず深すぎず丁度良い奥行となるように構成している。
【００３４】
また、背凭れ側方取付部５は、棒状の背凭れ支柱部13を側方に突出状態に差し込み係合し得る横孔状に形成した構成とし、具体的には、本実施例では、上方への抜けを阻止する上方抜け止め部を設けた凹条溝14をこの台板部11の左右両端部間（対向する長辺間）に架設状態に設け、この凹条溝14の両端部を夫々背凭れ側方取付部５とした構成とし、本実施例では、この背凭れ側方取付部５を台板部11の長辺の長さ方向となる前後方向の両側、言い換えると基台部10の手前側と奥側の二か所の対称位置に設けた構成としている。
【００３５】
即ち、本実施例の基台部10は、左右両側の手前側及び奥側の夫々に背凭れ側方取付部５を設けた構成とし、三体の基台部10のいずれがソファ台座部１の端部に配置されてもソファ台座部１の左右両側端部に夫々背凭れ側方取付部５が設けられるように構成している。
【００３６】
また、本実施例の基台部10（台板部11）は、上述した背凭れ取付部４とは別の、背凭れ部２を上方に突出状態に取付ける第二背凭れ取付部15を設けた構成としている。
【００３７】
この第二背凭れ取付部15は、本発明の組立式ソファをテーブルと椅子とのテーブルセット形態にする際に使用するもので、具体的には、この第二背凭れ取付部15に背凭れ部２を上方に突出状態に取付けて、基台部10を背凭れ付きの一人掛け用の椅子形態に形成するものである。
【００３８】
本実施例は、この椅子形態においてはソファ形態よりも座面奥行を浅くした構成とし、そのため、この第二背凭れ取付部15の位置を背凭れ取付部４よりも基台部10の長辺方向内側、具体的には、基台部10（台板部11）の長辺方向略中央部に設けた構成としている。
【００３９】
より具体的には、第二背凭れ取付部15は、基台部10（台板部11）の長辺方向中央部の左右両端部（略台縁に近い位置）に夫々設けた構成とし、また、本実施例では、この基台部10を前後方向のいずれの側を正面としても良いように、この第二背凭れ取付部15を背合わせ状態に対で設けた構成としている。
【００４０】
更に詳細に説明すると、本実施例の第二背凭れ取付部15は、背凭れ取付部４と同様、背凭れ部２が後傾状態に設けられるよう傾斜状態の縦孔に形成した構成とし、本実施例は、この第二背凭れ取付部15の傾斜状態を背凭れ部２の後傾角度が１１０°となるように設定した構成としている。
【００４１】
また、本実施例の基台部10は、更に、上述した背凭れ取付部４及び第二背凭れ取付部15とは別の、背凭れ部２を上方に突出状態に取付ける第三背凭れ取付部23を設けた構成としている。
【００４２】
この第三背凭れ取付部23は、ベッド形態において、フラットなベッド形態から背上げ姿勢状態のベッド形態とする際に使用するもので、具体的には、ベッド形態の一方の背凭れ側方取付部５に取り付けた背凭れ部２をこの第三背凭れ取付部23に付け替えることで、フラットなベッド形態を、足を伸ばし上体を起こした背上げ姿勢状態で使用できるベッド形態にすることができるように構成している。
【００４３】
具体的には、第三背凭れ取付部23は、基台部10（台板部11）の短辺方向（左右方向）の中央部付近で且つこの基台部10の前後両端部（略短辺側の台縁に近い位置）に夫々設けた構成としている。本実施例では、この第三背凭れ取付部23を背凭れ取付部４や第二背凭れ取付部15と同様に傾斜状の縦孔に形成した構成とし、具体的には、この第三背凭れ取付部23の傾斜状態を背凭れ部２の後傾角度が１１５°となるように設定した構成としている。
【００４４】
また、台板部11を支持する脚部12は、金属製パイプ部材を曲成して上方に開口するコ字状に形成し、左右夫々の縦杆部の先端部を台板部11の裏面に設けた脚部取付部16に挿脱自在に差込み係合して台板部11に対して着脱自在に設けた構成としている。
【００４５】
また、本実施例では、この脚部12の左右夫々の縦杆部の先端部に操作紐17を連結すると共に、この操作紐17を、脚部取付部16に設けた貫通孔を通じて台板部11の裏面側から表面側に引き回し配設した構成として、脚部12を脚部取付部16に取り付ける際、台板部11の表側に配設した操作紐17を引っ張り操作すると、操作紐17を連結した脚部12の先端部（脚部取付部16に差し込み係合する縦杆部の先端部）がこの操作紐17にガイドされて使用者（組立て者）が位置決めしなくても脚部取付部16に導入され差し込み係合する構成としている。
【００４６】
また更に、本実施例の基台部10は、台板部11の裏面に脚部収納部18を設け、上述した脚部12をこの脚部収納部18に収納自在に設けた構成としている。
【００４７】
即ち、本実施例の基台部10は、収納時、脚部12が台板部11に収納され、突出部のない扁平状の収納形態となり、基台部10同士を重ね合わせ収納自在な構成としている。
【００４８】
また、本実施例の基台部10は、クッション部材３をこの基台部10上の所定位置に定着状態で敷設するためのクッション部材定着手段を着脱自在に設けた構成とし、具体的には、基台部10とクッション部材３とに面ファスナ24（いずれか一方に雄側面ファスナ、他方に雌側面ファスナ）を設け、この面ファスナ24の雌雄係合により位置ズレすることなく基台部10にクッション部材３を定着状態で敷設することができるように構成している。
【００４９】
また更に、本実施例の基台部10は、隣り合う基台部10同士を連結する連結部材19を設けた構成として、各基台部10を並設状態に連設してソファ台座部１を形成する際、各基台部10同士をこの連結部材19を介して分離不能または位置ずれし難い状態にして連結して、ソファ台座部１の形状を保持するように構成している。
【００５０】
具体的には、連結部材19は、棒状（円柱状または円筒状）に形成し、一端部が一方の基台部10に着脱自在に連結し、他端部が他方の基台部10に着脱自在に連結する構成としている。
【００５１】
より具体的には、本実施例の連結部材19は、両端部を基台部10に抜け止め自在に差込み係合する構成とし、詳細には、本実施例は、連結部材19の両端部に突起状に形成した抜け止め係止部20を設け、基台部10の連結部材取付部22にこの突起状に形成した抜け止め係止部20と凹凸係合し得る凹部に形成した係止受部21を設け、この連結部材19に設けた抜け止め係止部20を連結部材取付部22に差し込んだ後、この連結部材19を回動操作して抜け止め係止部20を係止受部21に係合させることで、この突起状の抜け止め係止部20が凹部に形成した係止受部21に抜け止め係合して、この連結部材19が基台部10（ソファ台座部１）に抜け止め状態に設けられる構成としている。尚、本実施例では、この連結部材取付部22を、背凭れ側方取付部５と共通化（兼用）した構成とし、この背凭れ側方取付部５である基台部10上に形成した凹条溝14の端部に側方から連結部材19を抜け止め自在に差し込み係合する構成としている。
【００５２】
また、本実施例では、この連結部材19を上述した操作紐17と連結した構成として、操作紐17を引っ張り操作する際の操作ハンドルとしても使用できるように構成している。
【００５３】
また、背凭れ部２は、平面視長方形に形成した板状若しくはシート状の背凭れ面部８と、この背凭れ面部８を支持する背凭れ支柱部13とから成り、具体的には、背凭れ面部８の左右方向（長手方向）両端部に背凭れ支柱部13を着脱自在に設けて、この二本の背凭れ支柱部13間に横長シート状の背凭れ面部８が架設状態に設けられて形成される構成としている。
【００５４】
より具体的には、背凭れ面部８は、短辺（高さ方向）の寸法を基台部10の短辺の寸法の１／２に設定した横長の長方形に形成した布製シートに板状芯材26を設けた構成とすると共に、この板状芯材26が設けられない左右両端部を折り返し自在な背凭れ幅寸法調整部27とした構成とし、この背凭れ幅寸法調整部27の折り返し量を調整することにより、背凭れ面部８の左右方向の長さを自在に調整し得る構成としている。尚、図中符号28は、この背凭れ幅寸法調整部27の折り返し状態を保持するための面ファスナである。
【００５５】
また、本実施例の背凭れ部２は、基台部10同様、クッション部材３を所定位置に定着状態で配設するためのクッション部材定着手段を設けた構成とし、具体的には、背凭れ面部８表面側に基台部10と同様の面ファスナ24を設け、この面ファスナ24とクッション部材３に設けた面ファスナとの雌雄係合により位置ズレしたり倒れたりすることなく定着状態で配設することができるように構成している。
【００５６】
また、クッション部材３は、平面視長方形状に形成した構成とし、具体的には、基台部10と平面視形状を略同形状且つ略同寸法とした構成としている（即ち、このクッション部材３も基台部10同様、長辺７５ｃｍ、短辺５０ｃｍに設定した構成としている）。
【００５７】
また、上述したように、基台部10及び背凭れ部２に設けた面ファスナ24と雌雄係合する面ファスナ24を裏面側に設けた構成とし、この面ファスナ24を介して基台部10及び背凭れ部２に位置ズレすることなく定着状態で敷設または配設されるように構成している。
【００５８】
また、本実施例は、上述した基台部10、背凭れ部２、クッション部材３をコンパクトな収納形態にして持ち運び自在な構成としている。
【００５９】
具体的には、本実施例の基台部10は、脚部12を台板部11の脚部収納部18内に収納配設することによって台板部11のみの大きさになり、また、この台板部11はクッション部材３と略同形状に形成されているので、基台部10（台板部11）とクッション部材３とを重ね合わせて収納することができ、また、背凭れ部２も背凭れ面部８と背凭れ支柱部13とを分離自在に設けた構成としたので、図示するように、これら全てのパーツを重ね合わせることで持ち運びし易いコンパクトな収納形態にすることができる構成としている。
【００６０】
次に、本実施例の組立式ソファをソファ形態に組立てる組立方法（組立て手順）、及びこのソファ形態からベッド形態またはテーブルセット形態へ形態を変換する方法（手順）について説明する。
【００６１】
本実施例の組立式ソファをソファ形態に組み立てる場合は、先ず、基台部10を組み立てる。
【００６２】
具体的には、台板部11の裏面に設けた脚部収納部18より脚部12を離脱させ、連結部材19を操作ハンドルとして上方に引き上げて操作紐17を引っ張り上げ、この操作紐17の引張り操作により脚部12の先端部を脚部取付部16に差込み係合させ、台板部11に脚部12を組み付けて基台部10を形成する。
【００６３】
次に、この組み立てた三体の基台部10を長辺同士が突き合わさる向き（縦向き）にして並設し、隣り合う基台部10同士を連結部材19で連結してソファ台座部１を形成する。尚、本実施例では、基台部10一体の寸法を長辺７５ｃｍ、短辺５０ｃｍに設定したので、ソファ台座部１は、長辺（左右方向の長さ）１５０ｃｍ、短辺（奥行）７５ｃｍの平面視横長の長方形に形成される。
【００６４】
次に、このソファ台座部１に背凭れ部２を取り付けてソファ基台９を形成する。
【００６５】
具体的には、先ず、背凭れ部２の後傾角度を１０５°、１１５°のいずれにするかを決め、その決定した後傾角度に対応する背凭れ取付部４（第一背凭れ取付部４Ａまたは第二背凭れ取付部４Ｂ）が奥側に配置するようソファ台座部１の前後の向きを合わせる。例えば、背凭れ部２の後傾角度を１０５°とする場合は、基台部10に設けた第一背凭れ取付部４Ａがソファ台座部１の奥側に位置するようにソファ台座部１の向きを合わせ、一つ目の背凭れ部２の背凭れ支柱部13をソファ台座部１の左側の基台部10の左側に位置する第一背凭れ取付部４Ａと中央の基台部10の左側に位置する第一背凭れ取付部４Ａとに差し込んで、この一つ目の背凭れ部２をソファ台座部１上に上方に向かって突出状態に設け、二つ目の背凭れ部２の背凭れ支柱部13をソファ台座部１の右側の基台部10の右側に位置する第一背凭れ取付部４Ａと中央の基台部10の右側に位置する第一背凭れ取付部４Ａとに差し込んで、この二つ目の背凭れ部２をソファ台座部１上に上方に向かって突出状態に設けて、二体の背凭れ部２をソファ台座部１上に左右方向に並設状態に取付けてソファ基台９を形成する。
【００６６】
最後に、このソファ基台９上にクッション部材３を、面ファスナ24を介して定着状態に敷設すると共に、背凭れ部２にもクッション部材３を、面ファスナ24を介して定着状態に配設する。
【００６７】
具体的には、ソファ基台９の手前側（具体的には、背凭れ部２よりも手前側）に二枚のクッション部材３を短辺同士が突き合わさる横向きで連設状態に敷設して座部を形成すると共に、二体の背凭れ部２の夫々にクッション部材３を短辺同士が突き合わさる横向きで連設状態に立て掛け配設して組み立て完了となる。
【００６８】
即ち、本実施例は、基台部10とクッション部材３との平面視形状を、略同形状且つ略同寸法の長辺と短辺との寸法比が３：２の長方形としたから、三体の基台部10を長辺同士が突き合わさる縦向きにして並設状態に連設して形成したソファ台座部１の左右方向の長さと、二枚のクッション部材３を横向きにして並設状態に連設した長さとが等しくなり、ソファ台座部１上にクッション部材３を敷設した際、クッション部材３が余ってソファ台座部１から飛び出したり、あるいは長さが足りなくなってクッション部材３が無い座部が形成されることなく、ソファ台座部１上の座部となる位置全体にきっちりとクッション部材３が敷設されることとなる。
【００６９】
これにより、本実施例のソファ形態においては、座部の奥行がソファ台座部１の奥行の２／３の寸法、即ち、約５０ｃｍとなり、浅過ぎず深すぎずソファとして丁度良い奥行寸法となり、座り心地の良いソファとなる。
【００７０】
また、このソファ形態からベッド形態に形態を変換する場合は、先ず、クッション部材３を取り外した後、背凭れ取付部４に取り付けた二体の背凭れ部２を夫々取り外し、この取り外した二体の背凭れ部２を、ソファ台座部１を形成する基台部10に設けた背凭れ側方取付部５に取り付けて、この背凭れ部２でソファ台座部１を左右方向に長さを延長してベッド基台６を形成する。
【００７１】
具体的には、本実施例は、背凭れ取付部４と背凭れ側方取付部５とで背凭れ支柱部13を差し込む間隔が異なり、背凭れ取付部４のほうを背凭れ側方取付部５よりも背凭れ部２の横幅が長くなるようにしており、よって、背凭れ取付部４から背凭れ側方取付部５に背凭れ部２を付け替える際は、背凭れ部２の背凭れ面部８の左右両端部の折り返し量を調整して、背凭れ側方取付部５の取り付け状態に適した長さ（横幅寸法）に調整し（即ち背凭れ支柱部13の間隔を適宜な間隔に調整し）、この長さ調整を施した背凭れ部２を背凭れ側方取付部５に取り付けてベッド基台６を形成する。
【００７２】
そして、このベッド基台６上に取り外した四枚のクッション部材３を、このクッション部材３の長辺同士が突き合わさる向きで連設状態に敷設することで、ベッド形態への形態の変換作業が終了する。
【００７３】
即ち、本実施例は、背凭れ部２の背凭れ面部８の短辺の寸法を、基台部10（クッション部材３）の短辺の寸法の１／２に設定し、背凭れ部２をソファ台座部１に取り付けた際、この背凭れ面部８の長辺がソファ台座部１の台縁に突き合わさる（当接または近接）状態で取り付けられ、丁度この背凭れ面部８の短辺長さ分突出状態に取付けられることとなり、この背凭れ部２をソファ台座部１の左右両側に取り付けることで丁度、基台部10の短辺寸法分（クッション部材３の短辺寸法分）の長さが延長され、ベッド基台６は基台部10四体分の長さとなり、よって、この基台部10と略同形状、同寸法のクッション部材３を四枚、このベッド基台６上にクッション部材３が余ってソファ台座部１から飛び出したり、あるいは長さが足りなくなってクッション部材３が無い部分が形成されることなく、ベッド基台６上全面にきっちりとクッション部材３が敷設されたベッド形態を形成することができる。
【００７４】
また、本実施例のベッド形態においては、基台部10の寸法を長辺７５ｃｍ、短辺５０ｃｍとしたから、ベッド基台６の寸法は、幅７５ｃｍ、長さ２００ｃｍとなり、ベッドとして十分な広さを確保した実用的なベッド形態を形成することができる。
【００７５】
また、このベッド形態において、左右いずれか一方の背凭れ部２を背凭れ側方取付部５から取り外し、背凭れ面部８の長さを調整して背凭れ支柱部13を第三背凭れ取付部23に差し込み係合することで、フラット状態のベッド形態から一側が起き上がった背上げ姿勢状態のベッド形態にすることができる。
【００７６】
また、ソファ形態からテーブルセット形態に形態を変換する場合は、先ず、背凭れ部２を背凭れ取付部４から取り外した後、ソファ台座部１を形成している連結状態の三体の基台部10を連結解除して分離状態にする。
【００７７】
次に、この分離した三体の基台部10の内の二体の基台部10を椅子形態にする。具体的には、背凭れ取付部４から取り外した背凭れ部２を基台部10の第二背凭れ取付部15に取り付け、この背凭れ部２を基台部10の長辺方向略中央部にやや後傾状態で上方に突出状態に設けて椅子基台25を形成し、この椅子基台25上にクッション部材３を、この椅子基台25を形成する基台部10と同じ向きにして敷設すると共に、背凭れ部２にクッション部材３を配設して一人掛け用の椅子形態を形成する。尚、本実施例は、背凭れ部２にクッション部材３を配設する際、クッション部材３を長辺方向に二つ折りにし、この二つ折りにしたクッション部材３を背凭れ部２の上方から被せるようにして設けることで、より外観を一般的な椅子に近い形態としている。
【００７８】
このようにして、二体の基台部10を椅子形態にし、残り一体の基台部10をテーブルとしいて使用することで本実施例の組立式ソファをテーブルセットとして使用することができる。尚、本実施例では、基台部10をそのままテーブルとして使用する構成としたが、例えば、基台部10上に天板を設けてテーブルを形成する構成としても良い。
【００７９】
このように、本実施例は、ソファ形態、ベッド形態、およびテーブルセット形態の三形態に形態を変換することができ、しかも、ソファ形態では、座部の左右の幅（長さ）も奥行もベッド形態に比べて短く（狭く）、ソファとして丁度良い大きさ（形状）とすることができ、ベッド形態に形態を変換した際は、長さ方向、幅方向共にソファ形態よりも寸法が広がり十分な大きさのベッド面を有するベッド形態となり、極めて使い勝手の良い実用性に優れた組立式ソファとなる。
【００８０】
また、本実施例は、形態変換の際は、背凭れ部２の取付け位置を変更してクッション部材３を敷き直す、または付け直すだけの極めて簡易な操作で容易に実現でき、また、背凭れ部２も連結部材19も差し込み係合する構成としたから、組み付け作業にドライバー等の工具を必要とせず、誰もが容易に組み立て、形態変換作業を行うことができる実用性に優れた画期的な組立式ソファとなる。
【００８１】
尚、本発明は、本実施例に限られるものではなく、各構成要件の具体的構成は適宜設計し得るものである。
【符号の説明】
【００８２】
１  ソファ台座部
２  背凭れ部
３  クッション部材
４  背凭れ取付部
５  背凭れ側方取付部
６  ベッド基台
７  クッション部材非敷設部
８  背凭れ面部
【図１】
2017104286.tif 000003
【図２】
2017104286.tif 000004
【図３】
2017104286.tif 000005
【図４】
2017104286.tif 000006
【図５】
2017104286.tif 000007
【図６】
2017104286.tif 000008
【図７】
2017104286.tif 000009
【図８】
2017104286.tif 000010
【図９】
2017104286.tif 000011
【図１０】
2017104286.tif 000012
【図１１】
2017104286.tif 000013
【図１２】
2017104286.tif 000014
【図１３】
2017104286.tif 000015
【図１４】
2017104286.tif 000016
【図１５】
2017104286.tif 000017
【図１６】
2017104286.tif 000018
【図１７】
2017104286.tif 000019
【図１８】
2017104286.tif 000020
【図１９】
2017104286.tif 000021
【図２０】
2017104286.tif 000022
【図２１】
2017104286.tif 000023
【図２２】
2017104286.tif 000024
【図２３】
2017104286.tif 000025
【図２４】
2017104286.tif 000026
【図２５】
2017104286.tif 000027